(57)【要約】      （修正有）【課題】捨てコンクリートの表面が平坦でなくても、容易且つ正確にアンカーフレームを設置することが可能になるアンカーボルト固定装置を提供する。【解決手段】捨てコンクリート上に固定されアンカーボルトＰを支持する支持プレートを設ける。複数本のアンカーボルトＰの上下部を予め所定の設置間隔で保持するテンプレート２１を設ける。各アンカーボルトＰの下端部を支持プレート上に設置するように構成したアンカーフレーム２０を設ける。支持プレートに、捨てコンクリートの表面に設置される支持基板１１を設ける。該支持基板１１の中央下面に支持突起１２を突設する。支持基板１１を設置する捨てコンクリートにアンカープラグＲを埋設する。該アンカープラグＲに支持基板１１の周囲をネジ止めする。このとき、支持基板１１の支持突起１２を設けた中心部が水平になるように調整する。【選択図】図１
0003162818.tif 000002
【実用新案登録請求の範囲】
【請求項１】
捨てコンクリート上に固定され建築構造物の基礎用アンカーボルトを支持する支持プレートと、複数本のアンカーボルトＰを予め所定の設置間隔で保持するテンプレートを有し各アンカーボルトの下端部を支持プレート上に設置するように構成したアンカーフレームと、を備えたアンカーボルト固定装置において、支持プレートは、捨てコンクリートの表面に設置される支持基板と、該支持基板の中央下面に突設された支持突起と、を備え、支持基板を設置する捨てコンクリートにアンカープラグを埋設し、該アンカープラグに支持基板の周囲をネジ止めしたときに支持基板の支持突起を設けた中心部が水平になるように構成したことを特徴とするアンカーボルト固定装置。
【請求項２】
前記支持プレートにおいて、前記支持基板の上面で前記支持突起の周囲の位置に、前記テンプレートに保持されたアンカーボルトの下端部を嵌入支持せしめる複数の支持筒体が設けられ、これらの支持筒体を囲む支持基板周囲縁近傍に複数のネジ孔を開穿し、該ネジ孔から前記アンカープラグに固定ネジをネジ止めするときに、該支持基板の撓みによって支持筒体の各上端部相互の間隔が僅かに拡開するように構成された請求項１記載のアンカーボルト固定装置。
【請求項３】
前記アンカーフレームは、前記アンカーボルトを保持せしめる複数の挿通孔を開穿したテンプレートと、該テンプレートにアンカーボルトを固定する複数の固定ナットと、テンプレートに固定されたアンカーボルトの下端部に装着され該下端部を前記支持筒体に挿入したときに該支持筒体の上端部に係止してアンカーボルトの高さを調整する高さ調整ナットと、を備えた請求項１記載のアンカーボルト固定装置。
【考案の詳細な説明】
【技術分野】
【０００１】
本考案は、建築構造物の基礎にアンカーボルトを施工する際に使用するアンカーボルト固定装置に係り、アンカーボルトを設置する基礎設置位置が平坦でなくても正確にアンカーボルトを設置することができるアンカーボルト固定装置に関するものである。
【背景技術】
【０００２】
建築構造用のアンカーボルトを基礎に固定するため、予め工場等で組み立てた支持フレーム等を基礎設置位置に設置し、この支持フレームにアンカーボルトを固定する工法の例が特許文献１乃至特許文献３に記載されている。
【０００３】
特許文献１は、アンカーボルト据付治具に関するもので、基礎設置位置に伸縮自在な治具支柱を設置すると共に、治具支柱の上端部に設けた十字状のテンプレート受けにテンプレートを設置し、該テンプレートでアンカーボルトを支持するものである。
【０００４】
特許文献２は、アンカー用フレームに関するもので、基礎設置位置に下部フレームを設置し、この下部フレームの上端部に上部フレームを連結し、更に、この上部フレームにアンカーボルトを支持するフレームが記載されている。
【０００５】
特許文献３は、アンカーフレームの構造に関するもので、このアンカーフレームは、軸状のアンカーサポートを４隅に立設すると共に、これらアンカーサポートの上端に連結具を介してアンカーボルトを連結する構造を成したものである。
【先行技術文献】
【特許文献】
【０００６】
【特許文献１】特開平７−２０７９４４号公報
【特許文献２】特開平７−２９２６８３号公報
【特許文献３】特開２００４−３６１０３号公報
【考案の概要】
【考案が解決しようとする課題】
【０００７】
ところが、特許文献１乃至特許文献３に記載の据付治具やアンカーフレームでは、基礎設置位置が常に平坦である必要があり、基礎設置位置の一部でも凹凸が生じているような状況では、これらのアンカーフレームを使用できなくなる不都合が生じる。すなわち、この工事では、基礎設置位置を平坦にするために捨てコンクリート打設し、この捨てコンクリートの上にアンカーフレームを固定する作業が行われている。
【０００８】
例えば、特許文献１の治具支柱を基礎設置位置に設置する場合、捨てコンクリート上に平板状の治具受けプレートを設置し、この治具受けプレートの上面に柱状のアンカーボルト据付治具を立設する構造になっている。そのため、捨てコンクリートの表面に、凹凸が生じていると、治具受けプレートを水平に設置することができなくなり、治具支柱を介してアンカーボルトを垂直に支持することが困難になる。
【０００９】
また、特許文献２は、一対の据付板を捨てコンクリート上に設置するものである。したがって、この据付板も前記治具受けプレートと同様に、捨てコンクリートの表面に凹凸が生じていると、据付板を水平に設置することができなくなり、アンカーボルトを垂直に支持することは困難である。
【００１０】
更に、特許文献３に記載のアンカーフレームによると、捨てコンクリート上の所定の四隅に、小片状で平板材からなる位置決め板を設置し、この位置決め板上にアンカーサポートを配置するものである。そのため、捨てコンクリート上の所定の四隅全てが平坦でなければ、各位置決め板上に設置するアンカーサポート及びアンカーボルトを垂直に立設することができなくなる。
【００１１】
現状では、捨てコンクリートによって基礎設置位置全体を均すことは可能でも、このコンクリートの表面に生じる小さな凹凸まで完全に無くすことは極めて困難である。したがって、アンカーフレームを設置するコンクリートの表面に凹凸が生じている場合には、この凹凸を平坦に均す作業が必要になる。したがって、従来のアンカーフレームを使用する構造では、捨てコンクリートの表面を平坦にする作業に多くの手間や作業を要するものであった。
【００１２】
そこで、本考案は、上述の課題を解消すべく案出されたもので、捨てコンクリートの表面に凹凸が生じていても、容易且つ正確にアンカーフレームを設置することが可能になり、しかも、このアンカーフレームによって極めて簡単にアンカーボルトを支持することができるアンカーボルト固定装置の提供を目的とするものである。
【課題を解決するための手段】
【００１３】
上述の目的を達成すべく本考案の第１の手段は、捨てコンクリートＱ上に固定され建築構造物の基礎用アンカーボルトＰを支持する支持プレート１０と、複数本のアンカーボルトＰを予め所定の設置間隔で保持するテンプレート２１を有し、各アンカーボルトＰの下端部を支持プレート１０上に設置するように構成したアンカーフレーム２０と、を備えたアンカーボルト固定装置において、支持プレート１０は、捨てコンクリートＱの表面に設置される支持基板１１と、該支持基板１１の中央下面に突設された支持突起１２と、を備え、支持基板１１を設置する捨てコンクリートＱにアンカープラグＲを埋設し、該アンカープラグＲに支持基板１１の周囲をネジ止めするときに、支持基板１１の支持突起１２を設けた中心部が水平になるように構成したことにある。
【００１４】
第２の手段は、前記支持プレート１０において、前記支持基板１１の上面で前記支持突起１２の周囲の位置に、前記テンプレート２１に保持されたアンカーボルトＰの下端部を嵌入支持せしめる複数の支持筒体１３が設けられ、これらの支持筒体１３を囲む支持基板１１の周囲縁近傍に複数のネジ孔１４を開穿し、該ネジ孔１４から前記アンカープラグＲに固定ネジ１５をネジ止めするときに、該支持基板１１の撓みによって支持筒体１３の各上端部相互の間隔が僅かに拡開するように構成されたものである。
【００１５】
第３の手段において、前記アンカーフレーム２０は、前記アンカーボルトＰを保持せしめる複数の挿通孔２１Ａを開穿したテンプレート２１と、該テンプレート２１にアンカーボルトＰを固定する複数の固定ナット２２と、テンプレート２１に固定されたアンカーボルトＰの下端部に装着され該下端部を前記支持筒体１３に挿入したときに該支持筒体１３の上端部に係止してアンカーボルトＰの高さを調整する高さ調整ナット２３と、を備えたものである。
【考案の効果】
【００１６】
本考案の請求項１の如く、支持基板１１を設置する捨てコンクリートＱにアンカープラグＲを埋設し、該アンカープラグＲに支持基板１１の周囲をネジ止めするときに、支持基板１１の支持突起１２を設けた中心部が水平になるように調整することにより、捨てコンクリートＱの表面に凹凸が生じている場合でも、支持突起１２を中心にして支持基板１１を水平に設置することができる。この結果、従来のようにこの凹凸を平坦にする作業は必要なくなり、支持筒体１３に嵌入保持したアンカーボルトＰを極めて容易に支持できるものである。
【００１７】
しかも、請求項２の如く、該ネジ孔１４から前記アンカープラグＲに固定ネジ１５をネジ止めするときに、該支持基板１１の撓みによって支持筒体１３の各上端部相互の間隔が僅かに拡開するように構成したことで、支持筒体１３の内部に挿入したアンカーボルトＰは、更に各固定ネジ１５を均等に締付けるだけで、支持筒体１３内に固定されることになる。この結果、アンカーボルトの固定作業も容易に行うことができる。
【００１８】
そして、請求項３のように、アンカーボルトＰの下端部に高さ調整ナット２３を装着しアンカーボルトＰの下端部を支持筒体１３に挿入したときに該支持筒体１３の上端部に高さ調整ナット２３が係止するように構成しているから、支持筒体１３に挿入したアンカーボルトＰの高さは、この高さ調整ナット２３の装着位置を調整するだけで極めて簡単に行うことができるものである。
【図面の簡単な説明】
【００１９】
【図１】本考案の一実施例を示す正面図である。
【図２】本考案の一実施例を示す斜視図である。
【図３】本考案のテンプレートを示す平面図である。
【図４】本考案の支持基板を示す平面図である。
【図５】本考案の支持基板を調整する状態を示す要部断面図である。
【考案を実施するための形態】
【００２０】
このように本考案によると、捨てコンクリート上に凹凸が生じていても正確にアンカーフレームを設置することが可能になり、しかも、このアンカーフレームによって簡単にアンカーボルトを支持することができるなどといった目的を実現した。
【実施例】
【００２１】
以下、本考案の一実施例を説明する。本考案固定装置は、建築構造物の基礎設置位置に打設された捨てコンクリートＱ上に、構造物と基礎とを連結する複数本のアンカーボルトＰを垂直に固定する際に用いるものである。本考案の基本構成は、支持プレート１０とアンカーフレーム２０とを使用する（図２参照）。
【００２２】
支持プレート１０は、板状の支持基板１１に、支持突起１２と筒状の支持筒体１３とを設けたものである（図２、図４参照）。支持突起１２は支持基板１１の中央下面に設けたもので、捨てコンクリートＱの表面に支持基板１１を設置したときに、この支持突起１２がコマの軸のようになって支持基板１１の中心部分で支持基板１１を支持する（図１参照）。そこで、この支持突起１２を中心にして、支持基板１１の水平位置を調整するものである。
【００２３】
支持基板１１の水平を調整するには、支持基板１１を捨てコンクリートＱに固定する固定ネジ１５を使用する（図５参照）。この固定ネジ１５は、予め捨てコンクリートＱに埋設したアンカープラグＲにネジ止めするもので、固定ネジ１５の締め付け長さを調整することで、支持基板１１の水平を調整する。すなわち、支持基板１１を設置する位置の捨てコンクリートＱに、予めアンカープラグＲを埋設しておき、支持基板１１の各ネジ孔１４に挿通した複数の固定ネジ１５をこのアンカープラグＲにネジ止めしながら支持基板１１の水平を調整する。例えば、支持基板１１の傾きを３度調整することで、700mm上方では＋−40mmの調整幅になる。
【００２４】
図４には、矩形状を成した支持基板１１の四隅にネジ孔１４が開穿され、これらのネジ孔１４に挿通せしめる４本の固定ネジ１５にて、支持基板１１の水平を調整する支持プレート１０が示されている。図示の支持基板１１には、コンクリートの流れを促進させる一対の開口部が形成されている。
【００２５】
支持基板１１の上面には、複数の支持筒体１３が設けられている（図１参照）。この支持筒体１３は、アンカーボルトＰの下端部を嵌入支持せしめる部材で、支持突起１２を中心として支持基板１１の水平を調整した後に、支持筒体１３内にアンカーボルトＰの下端部を挿入して支持するものである。このとき、アンカーボルトＰの下端部には高さ調整ナット２３が装着されており、支持筒体１３にアンカーボルトＰを挿入したときに、この高さ調整ナット２３が支持筒体１３の上端部に係止するように設けている。
【００２６】
また、この支持筒体１３は、支持突起１２の周囲に位置する支持基板１１の上面に配置され、更に、前記ネジ孔１４は、これらの支持筒体１３を囲む位置に設けている。こうすることで、支持筒体１３にアンカーボルトＰを嵌入してから、更に、各固定ネジ１５を締付けることで、支持基板１１の撓みによって支持筒体１３の各上端部の間隔が僅かに拡開する作用を利用してアンカーボルトＰを支持筒体１３内に固定することができるものである（図５参照）。支持筒体１３の内径は、もともとアンカーボルトＰを嵌入するように設けられているので、各支持筒体１３の上端が僅かに傾斜するように各固定ネジ１５を締付けることで、各アンカーボルトＰが固定されることになる。しかも、支持突起１２を中心にして調整した支持基板１１の水平位置が変化することもない。
【００２７】
本考案のアンカーフレーム２０は、テンプレート２１と固定ナット２２にて構成されている（図２参照）。テンプレート２１は、アンカーボルトＰを挿通せしめる複数の挿通孔２１Ａを開穿した板状若しくは枠体状を成すもので、図示例では、矩形板体状を成すテンプレート２１の四隅に４個の挿通孔２１Ａを形成している（図３参照）。また、テンプレート２１の中央部分は、コンクリートの流れを促進させるために、大きな開口部が形成されている。そのためテンプレート２１は全体的に枠体状を成している。
【００２８】
一方、固定ナット２２は、テンプレート２１にアンカーボルトＰを固定するもので、挿通孔２１Ａに挿通して保持したアンカーボルトＰにネジ止めして挿通孔２１Ａを上下から挟みつけることでアンカーボルトＰを固定するものである（図１参照）。また、アンカーボルトＰの下端部には、前述の如く、支持筒体１３に挿入したときに該支持筒体１３の上端部に係止する高さ調整ナット２３を備えている。
【産業上の利用可能性】
【００２９】
本考案によると、鉄筋コンクリート製の柱等を構築する際に、コンクリート型枠内に設置するアンカーボルトＰを支持するのに好適である。また、本考案の構成は図示例に限定されるものでなく、支持プレート１０を構成する支持基板１１、支持突起１２、支持筒体１３、ネジ孔１４等の形状や、アンカーフレーム２０を構成するテンプレート２１、挿通孔２１Ａ、固定ナット２２、高さ調整ナット２３等の形状等は、本考案の要旨を変更しない範囲で任意に変更することができる。
【符号の説明】
【００３０】
Ｐ  アンカーボルト
Ｑ  捨てコンクリート
Ｒ  アンカープラグ
１０  支持プレート
１１  支持基板
１２  支持突起
１３  支持筒体
１４  ネジ孔
１５  固定ネジ
１６  固定ナット
２０  アンカーフレーム
２１Ａ  挿通孔
２１  テンプレート
２２  固定ナット
２３  高さ調整ナット
【図１】
0003162818.tif 000003
【図２】
0003162818.tif 000004
【図３】
0003162818.tif 000005
【図４】
0003162818.tif 000006
【図５】
0003162818.tif 000007